(57)【要約】【課題】洗浄後の衣料に香料成分を残存させ、衣料の汗臭を効果的に抑制できる繊維製品用洗浄剤組成物の提供。【解決手段】成分(A)及び(B)を含有し、質量比(a-1)／(B)が0.00001〜0.002である繊維製品用洗浄剤組成物。(A)：成分(a-1)及び(a-2)を含有し、質量比(a-1)／[(a-1)＋(a-2)]が0.01〜0.3である香料組成物  (a-1)：[1-メチル-2-[(1,2,2-トリメチルビシクロ[3.1.0]ヘキサ-3-イル)メチル]シクロプロピル]メタノール  (a-2)：アミルシンナミックアルデヒド、ネクタリル及びクマリンから選ばれる１種以上(B)：成分(b-1)〜(b-3)から選ばれる界面活性剤  (b-1)：スルホン酸基を有するアニオン界面活性剤  (b-2)：ポリオキシアルキレン基を有するノニオン界面活性剤  (b-3)：アルキルエーテル硫酸塩型アニオン界面活性剤【選択図】なし【特許請求の範囲】
【請求項１】
下記成分(A)及び(B)を含有し、成分(B)に対する成分(a-1)の質量比(a-1)／(B)が0.00001以上0.002以下である、繊維製品用洗浄剤組成物。
(A)：下記成分(a-1)及び(a-2)を含有し、成分(a-1)と成分(a-2)との合計に対する成分(a-1)の質量比(a-1)／[(a-1)＋(a-2)]が0.01以上0.3以下である香料組成物
(a-1)：[1-メチル-2-[(1,2,2-トリメチルビシクロ[3.1.0]ヘキサ-3-イル)メチル]シクロプロピル]メタノール
(a-2)：アミルシンナミックアルデヒド、ネクタリル及びクマリンから選ばれる１種以上
(B)：下記成分(b-1)、(b-2)及び(b-3)から選ばれる１種以上の界面活性剤
(b-1)：アルキルベンゼンスルホン酸、直鎖アルキルスルホン酸、アルケニルスルホン酸及びアルケニルスルホ脂肪酸エステル、並びにそれらの塩から選ばれるアニオン界面活性剤
(b-2)：ポリオキシアルキレン基を有するノニオン界面活性剤
(b-3)：アルキルエーテル硫酸塩型アニオン界面活性剤
【請求項２】
成分(a-1)の含有量が0.00075質量％以上0.04量％以下である、請求項１に記載の繊維製品用洗浄剤組成物。
【請求項３】
成分(b-1)の含有量が10質量％以上40質量％以下である、請求項１又は２に記載の繊維製品用洗浄剤組成物。
【請求項４】
成分(b-2)の含有量が１質量％以上50質量％以下である、請求項１〜３のいずれか一項に記載の繊維製品用洗浄剤組成物。
【請求項５】
成分(b-3)の含有量が２質量％以上15質量％以下である、請求項１〜４のいずれか一項に記載の繊維製品用洗浄剤組成物。
【請求項６】
更に下記成分(C)を0.5質量％以上３質量％以下含有する、請求項１〜５のいずれか一項に記載の繊維製品用洗浄剤組成物。
(C)：下記一般式(3)で表される４級アンモニウム塩
【化１】
2020063374.tif 000018
〔式中、Ｒ3は炭素数８以上16以下の脂肪族炭化水素基を示し、Ｒ4は炭素数１以上10以下の炭化水素基を示し、Ｒ5及びＲ6はそれぞれ独立に、炭素数１以上３以下の炭化水素基及び炭素数１以上３以下のヒドロキシアルキル基から選ばれる基を示し、Ｘ-は陰イオンを示す。〕
【請求項７】
成分(C)に対する成分(a-1)の質量比(a-1)／(C)が0.0002以上0.08以下である、請求項６に記載の繊維製品用洗浄剤組成物。
【発明の詳細な説明】
【技術分野】
【０００１】
本発明は、繊維製品用洗浄剤組成物に関する。
【背景技術】
【０００２】
従来、衣料洗剤に香料を配合しても、香料成分は洗濯時に汚れとともに衣料から洗濯水中へ除去されてしまい、洗濯後の衣料に残りにくいため、衣料を着用した際に十分な汗臭抑制効果などが得られないという問題があった。
【０００３】
衣料洗剤用の香料組成物に関する技術としては、特定の香料成分によりα-スルホ脂肪酸アルキルエステル塩由来の臭気の影響を抑制する技術（特許文献１）、特定の香料群の組合せにより洗浄液から発生する臭気を抑制する技術（特許文献２）、特定のLogPを有する香料と特定の陰イオン界面活性剤と特定鎖長のカルボン酸との組合せによって、洗浄時間が短い場合にも洗濯後の衣料に香料由来の香りをより強く付与する技術（特許文献３）などが知られている。
【先行技術文献】
【特許文献】
【０００４】
【特許文献１】国際公開第2014/200050号パンフレット
【特許文献２】特開2017-206691号公報
【特許文献３】特開2014-141662号公報
【発明の概要】
【発明が解決しようとする課題】
【０００５】
特許文献１及び２に記載の技術はいずれも、洗浄剤原料由来の臭気や洗浄液から発生する臭気など、洗浄中の香気に関する技術であって、洗濯後の衣料の香りに関するものではなかった。また特許文献３に記載の技術は、洗濯後の衣料に香りをより強く残すことを課題としたものではあるが、衣料を着用した際における汗臭の抑制効果については依然として改善の余地があった。
【０００６】
そこで本発明は、洗浄後の衣料に香料成分を残存させ、衣料の汗臭を効果的に抑制することができる繊維製品用洗浄剤組成物に関する。
【課題を解決するための手段】
【０００７】
発明者らは鋭意検討を行った結果、衣料用洗剤に香料を賦香するに際し、香料成分として特定の２種の香料化合物を特定の比率で組み合わせ、特定の界面活性剤を含有する衣料用洗剤に対し一定比率で賦香することによって、香料成分を洗浄後の衣料に残存させ、衣料の汗臭を効果的に抑制できることを見出した。
【０００８】
本発明は、下記成分(A)及び(B)を含有し、成分(B)に対する成分(a-1)の質量比(a-1)／(B)が0.00001以上0.002以下である、繊維製品用洗浄剤組成物を提供するものである。
(A)：下記成分(a-1)及び(a-2)を含有し、成分(a-1)と成分(a-2)との合計に対する成分(a-1)の質量比(a-1)／[(a-1)＋(a-2)]が0.01以上0.3以下である香料組成物
(a-1)：[1-メチル-2-[(1,2,2-トリメチルビシクロ[3.1.0]ヘキサ-3-イル)メチル]シクロプロピル]メタノール
(a-2)：アミルシンナミックアルデヒド、ネクタリル及びクマリンから選ばれる１種以上
(B)：下記成分(b-1)、(b-2)及び(b-3)から選ばれる１種以上の界面活性剤
(b-1)：アルキルベンゼンスルホン酸、直鎖アルキルスルホン酸、アルケニルスルホン酸及びアルケニルスルホ脂肪酸エステル、並びにそれらの塩から選ばれるアニオン界面活性剤
(b-2)：ポリオキシアルキレン基を有するノニオン界面活性剤
(b-3)：アルキルエーテル硫酸塩型アニオン界面活性剤
【発明の効果】
【０００９】
本発明の繊維製品用洗浄剤組成物は、洗浄後の衣料に香料成分を残存させ、衣料の汗臭を効果的に抑制することができる。
【発明を実施するための形態】
【００１０】
〔成分(A)：香料組成物〕
成分(A)の香料組成物は、下記成分(a-1)及び(a-2)を含有する。
(a-1)：[1-メチル-2-[(1,2,2-トリメチルビシクロ[3.1.0]ヘキサ-3-イル)メチル]シクロプロピル]メタノール（ジボダン社登録商標；ジャバノール）
(a-2)：アミルシンナミックアルデヒド、ネクタリル及びクマリンから選ばれる１種以上
【００１１】
成分(A)の香料組成物において、成分(a-1)と成分(a-2)とは、質量比(a-1)／[(a-1)＋(a-2)]が0.01以上0.3以下となるように調整される。質量比(a-1)／[(a-1)＋(a-2)]は、優れた汗臭抑制効果を得る観点から、0.01以上であって、好ましくは0.02以上、より好ましくは0.03以上、更に好ましくは0.06以上であり、また、0.3以下であって、好ましくは0.25以下、より好ましくは0.22以下である。
【００１２】
本発明の繊維製品用洗浄剤組成物中における成分(a-1)の含有量は、汗臭抑制効果をより向上させる観点から、好ましくは0.00075質量％以上、より好ましくは0.0008質量％以上、更に好ましくは0.0009質量％以上、更に好ましくは0.001質量％以上、更に好ましくは0.0011質量％以上、更に好ましくは0.0013質量％以上、更に好ましくは0.002質量％以上であり、また、香調の自由度を確保する観点から、好ましくは0.04質量％以下、より好ましくは0.01質量％以下、更に好ましくは0.008質量％以下である。
【００１３】
成分(a-2)はいずれか１種を用いても２種以上を併用してもよい。本発明の繊維製品用洗浄剤組成物中における成分(a-2)の含有量は、汗臭抑制効果を補う観点から、好ましくは0.01質量％以上、より好ましくは0.02質量％以上、更に好ましくは0.03質量％以上であり、また、香調の自由度を確保する観点から、好ましくは0.15質量％以下、より好ましくは0.08質量％以下、更に好ましくは0.06質量％以下である。
【００１４】
成分(A)の香料組成物には、以上の条件を満たす限り、成分(a-1)及び(a-2)以外の香料化合物として、例えば、Steffen Arctander編著“Perfume and Flavor Chemicals” Montclair, N.J.(U.S.A.) (1969年)、合成香料編集委員会編集「合成香料−化学と商品知識」（化学工業日報社、2016年12月20日、増補新版）、中島基貴編著「香料と調香の基礎知識」産業図書（1995年初版）等に記載されている公知の香料化合物を含有することができる。
【００１５】
また、成分(A)の香料組成物には、使用時の利便性のため、適宜溶媒（希釈剤）を含有することができる。溶媒としては、3-メトキシ-3-メチルブタノール、ジエチレングリコールモノエチルエーテル、フタル酸ジエチル、ジプロピレングリコール、ジプロピレングリコールモノエチルエーテル、ミリスチン酸イソプロピル、ミリスチン酸ベンジル、プロピレングリコール、アジピン酸ジイソブチル、エタノール、水添アビエチン酸メチル、クエン酸トリエチル、安息香酸ベンジル、ベンジルアルコール、フェノキシエタノール、グリセリン等が挙げられる。
【００１６】
本発明の繊維製品用洗浄剤組成物中における成分(A)の香料組成物の含有量は、十分な汗臭抑制効果を得る観点から、好ましくは0.2質量％以上、より好ましくは0.25質量％以上、更に好ましくは0.4質量％以上であり、また、好ましくは0.7質量％以下、より好ましくは0.65質量％以下、更に好ましくは0.6質量％以下である。
【００１７】
〔成分(B)：(b-1)、(b-2)及び(b-3)から選ばれる界面活性剤〕
成分(B)の界面活性剤は、下記成分(b-1)、(b-2)及び(b-3)から選ばれる１種以上である。
(b-1)：アルキルベンゼンスルホン酸、直鎖アルキルスルホン酸、アルケニルスルホン酸及びアルケニルスルホ脂肪酸エステル、並びにそれらの塩から選ばれるアニオン界面活性剤
(b-2)：ポリオキシアルキレン基を有するノニオン界面活性剤
(b-3)：アルキルエーテル硫酸塩型アニオン界面活性剤
【００１８】
・成分(b-1)
成分(b-1)は、前記選択肢から選ばれるスルホン酸基又はその塩を有するアニオン界面活性剤であり、洗浄時の泡立ち性に優れ、また繊維製品に付着した汚れの洗浄作用を有する。成分(b-1)を構成する各化合物が有するアルキル基又はアルケニル基の炭素数は、好ましくは８以上、より好ましくは10以上、更に好ましくは12以上であり、また、好ましくは20以下、より好ましくは16以下である。
【００１９】
成分(b-1)が塩である場合、塩としては、ナトリウム塩、カリウム塩等のアルカリ金属塩、炭素数２以上８以下のアルカノールアミン塩などを挙げることができる。
【００２０】
成分(b-1)は、いずれかを単独で又は２種以上を組み合わせて使用することができるが、十分な洗浄効果を得る観点から、アルキルベンゼンスルホン酸又はその塩を含むことが好ましく、炭素数８以上20以下のアルキル基を有するアルキルベンゼンスルホン酸又はその塩を含むことがより好ましい。同様の観点から、成分(b-1)中におけるアルキルベンゼンスルホン酸又はその塩の割合は、好ましくは50質量％以上100質量％以下、より好ましくは55質量％以上100質量％以下、更に好ましくは65質量％以上100質量％以下、更に好ましくは75質量％以上100質量％以下、更に好ましくは85質量％以上100質量％以下、更に好ましくは96質量％以上100質量％以下である。
【００２１】
成分(B)として成分(b-1)を含有する場合、本発明の繊維製品用洗浄剤組成物中における成分(b-1)の含有量は、繊維製品に付着した汚れの洗浄性をより高める観点から、好ましくは10質量％以上、より好ましくは11質量％以上、更に好ましくは12質量％以上、更に好ましくは13質量％以上であり、また、十分なすすぎ性を得る観点から、好ましくは40質量％以下、より好ましくは35質量％以下、更に好ましくは30質量％以下である。
【００２２】
・成分(b-2)
成分(b-2)は、ポリオキシアルキレン基を有するノニオン界面活性剤であり、繊維製品に付着した汚れを洗浄する作用を有する。
【００２３】
成分(b-2)としては、炭素数２以上３以下のアルキレンオキシ基の平均付加モル数が３以上100以下であるノニオン界面活性剤が好ましい。具体的には、下記一般式(1)で表される化合物の一種以上が挙げられる。
Ｒ1Ｏ−(ＡＯ)nＨ                        (1)
〔式中、Ｒ1は炭素数12以上18以下の脂肪族炭化水素基を示し、ＡＯはエチレンオキシ基及びプロピレンオキシ基から選ばれる１種以上の基を示し、ｎは平均付加モル数であって３以上100以下の数を示す。〕
【００２４】
Ｒ1の脂肪族炭化水素基としては、アルキル基、アルケニル基が挙げられ、好ましくはアルキル基、より好ましくは１級アルキル基、更に好ましくは直鎖１級アルキル基である。また、Ｒ2の脂肪族炭化水素基は、直鎖でも分岐鎖でもよいが、直鎖の脂肪族炭化水素基が好ましい。繊維製品に付着した汚れの洗浄性をより高める観点から、Ｒ1は直鎖アルキル基が好ましく、ラウリル基及びミリスチル基から選ばれる１種以上の基がより好ましい。
【００２５】
成分(b-2)が有する全Ｒ1中における炭素数12以上14以下の脂肪族炭化水素基の割合は、繊維製品に付着した汚れの洗浄性をより高める観点から、好ましくは60質量％以上100質量％以下、より好ましくは70質量％以上100質量％以下、更に好ましくは80質量％以上100質量％以下である。すなわち、成分(b-2)中、Ｒ1が炭素数12以上14以下の脂肪族炭化水素基であるノニオン界面活性剤の割合は、繊維製品に付着した汚れの洗浄性をより高める観点から、好ましくは60質量％以上100質量％以下、より好ましくは70質量％以上100質量％以下、更に好ましくは80質量％以上100質量％以下である。
【００２６】
一般式(1)中のＡＯとしては、繊維製品に付着した汚れの洗浄性をより高める観点から、エチレンオキシ基を含むことが好ましい。ＡＯ基の平均付加モル数ｎに対するエチレンオキシ基の平均付加モル数ｎEの比率ｎE／ｎは、繊維製品に付着した汚れの洗浄性をより高める観点から、好ましくは0.5以上１以下、より好ましくは0.6以上１以下、更に好ましくは0.7以上１以下、更に好ましくは0.8以上１以下、更に好ましくは0.9以上１以下である。
【００２７】
一般式(1)中のｎは、繊維製品に付着した汚れの洗浄性をより高める観点から、好ましくは４以上、より好ましくは５以上であり、また、好ましくは80以下、より好ましくは60以下、更に好ましくは50以下、更に好ましくは40以下、更に好ましくは30以下である。
【００２８】
成分(B)として成分(b-2)を含有する場合、本発明の繊維製品用洗浄剤組成物中における成分(b-2)の含有量は、繊維製品に付着した汚れの洗浄性をより高める観点から、好ましくは１質量％以上、より好ましくは３質量％以上、更に好ましくは６質量％以上であり、また、好ましくは50質量％以下、より好ましくは40質量％以下、更に好ましくは30質量％以下である。
【００２９】
・成分(b-3)
成分(b-3)のアルキルエーテル硫酸塩型アニオン界面活性剤は、繊維製品に付着した汚れや種々の菌を洗浄する作用を有し、下記一般式(2)で表される化合物が挙げられる。
Ｒ2Ｏ−(Ｃ2Ｈ4Ｏ)mＳＯ3-・Ｍ+                  (2)
〔式中、Ｒ2は炭素数８以上16以下の脂肪族炭化水素基を示し、ｍは１以上15以下の整数を示し、Ｍ+は陽イオンを示す。〕
【００３０】
Ｒ2の脂肪族炭化水素基としては、アルキル基、アルケニル基が挙げられ、好ましくはアルキル基、より好ましくは１級アルキル基、更に好ましくは直鎖１級アルキル基である。
【００３１】
Ｒ2の脂肪族炭化水素基としては、繊維製品に対する洗浄性を更に高める観点から、炭素数10以上16以下の基を含むことが好ましく、炭素数12以上14以下の脂肪族炭化水素基を含むことがより好ましい。全Ｒ2中における炭素数12以上14以下の脂肪族炭化水素基の割合は、繊維製品に対する洗浄性と保存安定性を維持する観点から、好ましくは60質量％以上100質量％以下、より好ましくは70質量％以上100質量％以下である。すなわち、成分(b-3)中、Ｒ2が炭素数12以上14以下の脂肪族炭化水素基であるアルキルエーテル硫酸塩型アニオン界面活性剤の割合は、繊維製品に対する洗浄性と保存安定性を維持する観点から、好ましくは60質量％以上100質量％以下、より好ましくは70質量％以上100質量％以下である。
【００３２】
一般式(2)中のｍは、繊維製品に対する洗浄性を高める観点から、好ましくは１以上、より好ましくは1.2以上、更に好ましくは1.4以上、更に好ましくは1.6以上であり、また、好ましくは４以下、より好ましくは３以下、更に好ましくは2.5以下である。Ｍ+としては、ナトリウムイオン、カリウムイオン等の金属イオン、トリエタノールアミン等の有機塩基が挙げられる。
【００３３】
成分(B)として成分(b-3)を含有する場合、本発明の繊維製品用洗浄剤組成物中における成分(b-3)の含有量は、繊維製品に対する洗浄性を高める観点から、好ましくは２質量％以上、より好ましくは３質量％以上、更に好ましくは５質量％以上であり、また、好ましくは15質量％以下、より好ましくは10質量％以下、更に好ましくは８質量％以下である。
【００３４】
本発明の繊維製品用洗浄剤組成物中における成分(B)全体としての含有量は、繊維製品に対する洗浄性を高める観点から、好ましくは５質量％以上、より好ましくは８質量％以上、更に好ましくは10質量％以上であり、また、好ましくは20質量％以下、より好ましくは19質量％以下、更に好ましくは18質量％以下である。
【００３５】
また、成分(B)に対する成分(a-1)の質量比(a-1)／(B)は、十分な汗臭抑制効果を得る観点から、0.00001以上であって、好ましくは0.000025以上、より好ましくは0.00004以上、更に好ましくは0.000045以上、更に好ましくは0.000055以上、更に好ましくは0.00007以上、更に好ましくは0.00008以上、更に好ましくは0.00012以上であり、また、香調の自由度を確保する観点から、0.002以下であって、好ましくは0.001以下、より好ましくは0.0008以下、更に好ましくは0.0006以下である。
【００３６】
〔成分(C)：カチオン界面活性剤〕
本発明の繊維製品用洗浄剤組成物には、洗浄液中に存在する菌に対する殺菌効果、又は洗浄し乾燥した後の繊維製品に菌が付着した場合でも菌の増殖を抑制する抗菌効果を付与するため、更に成分(C)として下記一般式(3)で表されるカチオン界面活性剤を含有することができる。
【００３７】
【化１】
2020063374.tif 000002
【００３８】
〔式中、Ｒ3は炭素数８以上16以下の脂肪族炭化水素基を示し、Ｒ4は炭素数１以上10以下の炭化水素基を示し、Ｒ5及びＲ6はそれぞれ独立に、炭素数１以上３以下の炭化水素基及び炭素数１以上３以下のヒドロキシアルキル基から選ばれる基を示し、Ｘ-は陰イオンを示す。〕
【００３９】
Ｒ3の炭素数は、抗菌効果をより高める観点から、８以上であって、好ましくは９以上、より好ましくは10以上、更に好ましくは12以上、更に好ましくは14以上であり、また、殺菌効果をより高める観点から、16以下である。
【００４０】
Ｒ3が炭素数８以上10以下の脂肪族炭化水素基である場合、殺菌効果又は抗菌効果がより高まる観点から、Ｒ4は炭素数７以上10以下の炭化水素基であることが好ましく、ベンジル基又は炭素数８以上10以下の脂肪族炭化水素基であることがより好ましい。また、Ｒ3が炭素数11以上16以下の脂肪族炭化水素基である場合、殺菌効果又は抗菌効果がより高まる観点から、Ｒ4は炭素数１以上７以下のアルキル基であることが好ましく、炭素数１以上６以下のアルキル基であることがより好ましく、メチル基、エチル基又はプロピル基であることが更に好ましい。
【００４１】
Ｒ5及びＲ6は、殺菌効果又は抗菌効果がより高まる観点から、好ましくは炭素数１以上３以下の炭化水素基、より好ましくは炭素数１以上３以下のアルキル基、更に好ましくはメチル基、エチル基及びプロピル基から選ばれるアルキル基である。
【００４２】
Ｘ-としては、ハロゲン化物イオン及び炭素数１以上３以下のアルキル硫酸イオンが挙げられる。ハロゲン化物イオンとしては、塩化物イオン、臭化物イオン、ヨウ化物イオンが挙げられる。炭素数１以上３以下のアルキル硫酸イオンとしては、メチル硫酸イオン、エチル硫酸イオン、プロピル硫酸イオンが挙げられる。
【００４３】
成分(C)としては、N-アルキルトリメチルアンモニウム塩（アルキル基は炭素数11以上16以下の脂肪族アルキル基）、N-アルキル-N,N-ジメチル-N-エチルアンモニウム塩（アルキル基は炭素数11以上16以下の脂肪族アルキル基）、N-アルキル-N,N-ジメチル-N-ベンジルアンモニウム塩（アルキル基は炭素数８以上16以下の脂肪族アルキル基）、N,N-ジアルキル-N,N-ジメチルアンモニウム塩（アルキル基は炭素数８以上10以下の脂肪族アルキル基）、及びN,N-ジアルキル-N-エチル-N-メチルアンモニウム塩（アルキル基は炭素数８以上10以下の脂肪族アルキル基）から選ばれる１種以上のカチオン界面活性剤が挙げられる。
【００４４】
N-アルキルトリメチルアンモニウム塩（アルキル基は炭素数11以上16以下の脂肪族アルキル基）としては、N-ラウリルトリメチルアンモニウム塩、N-ミリスチルトリメチルアンモニウム塩及びN-パルミチルトリメチルアンモニウム塩から選ばれる１種以上のカチオン界面活性剤が挙げられる。
【００４５】
N-アルキル-N,N-ジメチル-N-エチルアンモニウム塩（アルキル基は炭素数11以上16以下の脂肪族アルキル基）としては、N-ラウリル-N,N-ジメチル-N-エチルアンモニウム塩、N-ミリスチル-N,N-ジメチル-N-エチルアンモニウム塩、N-パルミチル-N,N-ジメチル-N-エチルアンモニウム塩から選ばれる１種以上のカチオン界面活性剤が挙げられる。
【００４６】
N-アルキル-N,N-ジメチル-N-ベンジルアンモニウム塩（アルキル基は炭素数８以上16以下の脂肪族アルキル基）としては、N-オクチル-N,N-ジメチル-N-ベンジルアンモニウム塩、N-デシル-N,N-ジメチル-N-ベンジルアンモニウム塩、N-ラウリル-N,N-ジメチル-N-ベンジルアンモニウム塩、N-ミリスチル-N,N-ジメチル-N-ベンジルアンモニウム塩及びN-パルミチル-N,N-ジメチル-N-ベンジルアンモニウム塩から選ばれる１種以上のカチオン界面活性剤が挙げられる。
【００４７】
N,N-ジアルキル-N,N-ジメチルアンモニウム塩（アルキル基は炭素数８以上10以下の脂肪族アルキル基）としては、N,N-ジオクチル-N,N-ジメチルアンモニウム塩、N,N-ジノニル-N,N-ジメチルアンモニウム塩及びN,N-ジデシル-N,N-ジメチルアンモニウム塩から選ばれる１種以上のカチオン界面活性剤が挙げられる。
【００４８】
N,N-ジアルキル-N-エチル-N-メチルアンモニウム塩（アルキル基は炭素数８以上10以下の脂肪族アルキル基）としては、N,N-ジオクチル-N-エチル-N-メチルアンモニウム塩、N,N-ジノニル-N-エチル-N-メチルアンモニウム塩及びN,N-ジデシル-N-エチル-N-メチルアンモニウム塩から選ばれる１種以上のカチオン界面活性剤が挙げられる。
【００４９】
本発明の繊維製品用洗浄剤組成物中における成分(C)の含有量は、殺菌効果又は抗菌効果をより高める観点から、好ましくは0.5質量％以上、より好ましくは0.7質量％以上、更に好ましくは0.8質量％以上であり、また、好ましくは３質量％以下、より好ましくは2.5質量％以下、更に好ましくは２質量％以下、更に好ましくは1.5質量％以下、更に好ましくは１質量％以下である。
【００５０】
また、成分(C)に対する成分(a-1)の質量比(a-1)／(C)は、十分な汗臭抑制効果を得る観点から、好ましくは0.0002以上、より好ましくは0.000375以上、更に好ましくは0.0005以上、更に好ましくは0.00075以上、更に好ましくは0.0008以上、更に好ましくは0.00125以上、更に好ましくは0.002以上であり、また、香調の自由度を確保する観点から、好ましくは0.08以下、より好ましくは0.01以下、更に好ましくは0.009以下である。
【００５１】
〔その他の任意成分〕
本発明の繊維製品用洗浄剤組成物には、さらに通常繊維製品用洗浄剤に使用されるその他の成分を含有させることができる。このような成分としては、例えば、水；炭酸ナトリウム、炭酸カリウム、炭酸リチウム等の無機炭酸塩；炭酸水素ナトリウム、炭酸水素カリウム、炭酸水素リチウム等の無機炭酸水素塩；ポリアクリル酸又はその塩、アクリル酸とマレイン酸のコポリマー又はその塩等のカルボン酸基又はその塩を有するポリマー；ゼオライト、トリポリリン酸塩、アルカリ金属珪酸塩等の金属イオン捕捉剤；珪酸カルシウム、二酸化ケイ素、ベントナイト、タルク、クレイ等の粘土鉱物、カルボキシメチルセルロース、ポリエチレングリコール等の表面改質剤；その他色移り防止剤、酵素、蛍光染料、酸化防止剤、色素、抗菌剤、防腐剤、消泡剤、粘度調整剤、pH調整剤などが挙げられる。
【００５２】
本発明の繊維製品用洗浄剤組成物は、衣類、タオル、寝具等の繊維製品の洗浄に用いられほか、これら以外の洗濯が可能な繊維製品の洗浄にも用いることができる。
【００５３】
以上述べた実施形態に関し、以下に本発明の好ましい態様を更に開示する。
【００５４】
＜１＞
下記成分(A)及び(B)を含有し、成分(B)に対する成分(a-1)の質量比(a-1)／(B)が0.00001以上0.002以下である、繊維製品用洗浄剤組成物。
(A)：下記成分(a-1)及び(a-2)を含有し、成分(a-1)と成分(a-2)との合計に対する成分(a-1)の質量比(a-1)／[(a-1)＋(a-2)]が0.01以上0.3以下である香料組成物
(a-1)：[1-メチル-2-[(1,2,2-トリメチルビシクロ[3.1.0]ヘキサ-3-イル)メチル]シクロプロピル]メタノール
(a-2)：アミルシンナミックアルデヒド、ネクタリル及びクマリンから選ばれる１種以上
(B)：下記成分(b-1)、(b-2)及び(b-3)から選ばれる１種以上の界面活性剤
(b-1)：アルキルベンゼンスルホン酸、直鎖アルキルスルホン酸、アルケニルスルホン酸及びアルケニルスルホ脂肪酸エステル、並びにそれらの塩から選ばれるアニオン界面活性剤
(b-2)：ポリオキシアルキレン基を有するノニオン界面活性剤
(b-3)：アルキルエーテル硫酸塩型アニオン界面活性剤
【００５５】
＜２＞
成分(a-1)の含有量が0.00075質量％以上0.04量％以下である、＜１＞に記載の繊維製品用洗浄剤組成物。
【００５６】
＜３＞
成分(a-2)の含有量が0.01質量％以上0.15量％以下である、＜１＞又は＜２＞に記載の繊維製品用洗浄剤組成物。
【００５７】
＜４＞
成分(A)の含有量が0.2質量％以上0.7量％以下である、＜１＞〜＜３＞のいずれか一項に記載の繊維製品用洗浄剤組成物。
【００５８】
＜５＞
成分(b-1)が有するアルキル基又はアルケニル基の炭素数が８以上20以下である、＜１＞〜＜４＞のいずれか一項に記載の繊維製品用洗浄剤組成物。
【００５９】
＜６＞
成分(b-1)が炭素数８以上20以下のアルキル基を有するアルキルベンゼンスルホン酸又はその塩を含む、＜１＞〜＜５＞のいずれか一項に記載の繊維製品用洗浄剤組成物。
【００６０】
＜７＞
成分(b-1)の含有量が10質量％以上40質量％以下である、＜１＞〜＜６＞のいずれか一項に記載の繊維製品用洗浄剤組成物。
【００６１】
＜８＞
成分(b-2)が下記一般式(1)で表される化合物である、＜１＞〜＜７＞のいずれか一項に記載の繊維製品用洗浄剤組成物。
Ｒ1Ｏ−(ＡＯ)nＨ                        (1)
〔式中、Ｒ1は炭素数12以上18以下の脂肪族炭化水素基を示し、ＡＯはエチレンオキシ基及びプロピレンオキシ基から選ばれる１種以上の基を示し、ｎは平均付加モル数であって３以上100以下の数を示す。〕
【００６２】
＜９＞
成分(b-2)の含有量が１質量％以上50質量％以下である、＜１＞〜＜８＞のいずれか一項に記載の繊維製品用洗浄剤組成物。
【００６３】
＜10＞
成分(b-3)が下記一般式(2)で表される化合物である、＜１＞〜＜９＞のいずれか一項に記載の繊維製品用洗浄剤組成物。
Ｒ2Ｏ−(Ｃ2Ｈ4Ｏ)mＳＯ3-・Ｍ+                  (2)
〔式中、Ｒ2は炭素数８以上16以下の脂肪族炭化水素基を示し、ｍは１以上15以下の整数を示し、Ｍ+は陽イオンを示す。〕
【００６４】
＜11＞
成分(b-3)の含有量が２質量％以上15質量％以下である、＜１＞〜＜10＞のいずれか一項に記載の繊維製品用洗浄剤組成物。
【００６５】
＜12＞
成分(B)全体としての含有量が５質量％以上20量％以下である、＜１＞〜＜11＞のいずれか一項に記載の繊維製品用洗浄剤組成物。
【００６６】
＜13＞
更に下記成分(C)を0.5質量％以上３質量％以下含有する、＜１＞〜＜12＞のいずれか一項に記載の繊維製品用洗浄剤組成物。
(C)：下記一般式(3)で表される４級アンモニウム塩
【００６７】
【化２】
2020063374.tif 000003
【００６８】
〔式中、Ｒ3は炭素数８以上16以下の脂肪族炭化水素基を示し、Ｒ4は炭素数１以上10以下の炭化水素基を示し、Ｒ5及びＲ6はそれぞれ独立に、炭素数１以上３以下の炭化水素基及び炭素数１以上３以下のヒドロキシアルキル基から選ばれる基を示し、Ｘ-は陰イオンを示す。〕
【００６９】
＜14＞
成分(C)に対する成分(a-1)の質量比(a-1)／(C)が0.0002以上0.08以下である、＜13＞に記載の繊維製品用洗浄剤組成物。
【実施例】
【００７０】
実施例１〜６、比較例１
表２に示す繊維製品用液体洗浄剤組成物を調製し、以下の基準に従ってその消臭効果を評価した。なお、用いた香料組成物の処方は表３に示すとおりである。
【００７１】
（評価方法）
＜試験布の洗浄処理方法＞
あらかじめ綿メリヤス布を未賦香衣料用洗剤で３回洗浄し、乾燥後、10×10cmにカットして試験布とした。たらいに水0.8Ｌを準備し、表２に示す繊維製品用液体洗浄剤組成物3.2gを溶解させた後、試験布10枚を投入して洗浄した（浴比：20、洗浄時間：15分）。洗浄後、すすぎを２回行った（１回のすすぎ水量：２Ｌ）。布を絞って余分な水を取り除いた後、室内で干して、乾燥させた。
前記の表２に示す繊維製品用液体洗浄剤組成物を用いた洗浄から乾燥までの操作を10サイクル行った。得られた処理布を汗臭の評価試験に用いた。
【００７２】
＜汗臭消臭評価方法＞
室温（25℃）、湿度65％の環境に保たれた室内にて、直径9.5cmのシャーレ上に上記処理布を１枚置き、表１に記載の擬似臭組成物をエタノールにて200ppmに希釈したものを50μL塗布し、着用時の汗と皮脂が混じったニオイが生じている衣類を再現した。エタノールのニオイの影響を取り除くため、６分間放置後、ニオイの官能評価を行った。
【００７３】
【表１】
2020063374.tif 000004
【００７４】
消臭効果は、着用時に汗をかいた状態を想定した繊維製品の汗臭の程度について３名の専門パネルが評価し、下記基準に従って協議により判定した。
【００７５】
◎：汗臭を全く感じない
○：汗臭をほとんど感じない
△：汗臭を弱く感じるが許容範囲
×：汗臭をはっきり感じる
【００７６】
【表２】
2020063374.tif 000005
【００７７】
【表３】
2020063374.tif 000006
【００７８】
実施例７〜12、比較例２
表４に示す繊維製品用液体洗浄剤組成物を調製し、前記同様にその消臭効果を評価した。なお、用いた香料組成物の処方は表５に示すとおりである。
【００７９】
【表４】
2020063374.tif 000007
【００８０】
【表５】
2020063374.tif 000008
【００８１】
実施例13、比較例３
表６に示す繊維製品用液体洗浄剤組成物を調製し、前記同様にその消臭効果を評価した。なお、用いた香料組成物の処方は表７に示すとおりである。
【００８２】
【表６】
2020063374.tif 000009
【００８３】
【表７】
2020063374.tif 000010
【００８４】
実施例14〜19、比較例４
表８に示す繊維製品用粉末洗浄剤組成物を調製し、前記同様にその消臭効果を評価した。なお、用いた香料組成物の処方は表９に示すとおりである。
【００８５】
【表８】
2020063374.tif 000011
【００８６】
【表９】
2020063374.tif 000012
【００８７】
実施例20〜25、比較例５
表８に示す繊維製品用粉末洗浄剤組成物を用いて、前記同様にその消臭効果を評価した。ただし、用いた香料組成物の処方は表10に示すとおりである。
【００８８】
【表１０】
2020063374.tif 000013
【００８９】
実施例26、比較例６
表８に示す繊維製品用粉末洗浄剤組成物を用いて、前記同様にその消臭効果を評価した。ただし、用いた香料組成物の処方は表11に示すとおりである。
【００９０】
【表１１】
2020063374.tif 000014
【００９１】
実施例27〜28、比較例７
表８に示す繊維製品用粉末洗浄剤組成物を用いて、前記同様にその消臭効果を評価した。なお、用いた香料組成物の処方は表12に示すとおりである。
【００９２】
【表１２】
2020063374.tif 000015
【００９３】
実施例29、比較例８
表８に示す繊維製品用粉末洗浄剤組成物を調製し、前記同様にその消臭効果を評価した。ただし、用いた香料組成物の処方は表13に示すとおりである。
【００９４】
【表１３】
2020063374.tif 000016
【００９５】
実施例30〜32、比較例９
表８に示す繊維製品用粉末洗浄剤組成物を用いて、前記同様にその消臭効果を評価した。ただし、用いた香料組成物の処方は表14に示すとおりである。
【００９６】
【表１４】
2020063374.tif 000017
【００９７】
さらに、本発明の繊維製品用洗浄剤組成物を一般消費者に家庭で使用してもらい、汗臭の消臭効果について調査したところ、調査対象者の80％以上が良好な消臭効果を感じたという回答が得られた。